(57)【要約】      （修正有）【課題】振動子のスポット溶接部の結合強度を向上した振動モータを提供する。【解決手段】振動モータ１００は、ハウジングと、ハウジングに収納されるコイル１２０と、振動子と、振動子を弾性的に支持する弾性部材とを備える。振動子は、マグネットボウル１３１と、マグネットボウルの外側に位置され且つマグネットボウルに固定接続されるカウンターウェイトブロック１３２とを備える。マグネットボウルは、底壁と、底壁から弾性部材に接近する方向へ延在する側壁とを備え、側壁からカウンターウェイトブロックの方向へ折り曲げて延在し且つカウンターウェイトブロックに当接される折曲部をさらに備える。このようにして、スポット溶接方式によって弾性部材と折曲部を一体に溶接する。カウンターウェイトブロックとマグネットボウル、及びマグネットボウルと弾性部材との間の結合強度を向上させる。【選択図】図１
2020022352.tif 000002
【特許請求の範囲】
【請求項１】
ハウジングと、前記ハウジングに収納されるコイルと、振動子と、前記振動子を弾性的に支持する弾性部材とを備え、前記振動子は、マグネットボウルと、前記マグネットボウルの外側に位置され且つ前記マグネットボウルに固定接続されるカウンターウェイトブロックとを備え、前記マグネットボウルは、底壁と、前記底壁から前記弾性部材に接近する方向へ延在する側壁とを備える振動モータであって、
前記マグネットボウルは、前記側壁から前記カウンターウェイトブロックの方向へ折り曲げて延在し且つ前記カウンターウェイトブロックに当接される折曲部をさらに備えることを特徴とする振動モータ。
【請求項２】
前記弾性部材は、前記ハウジングに固定される外リングと、前記振動子に接続される内リングと、前記外リングと前記内リングを接続する接続アームとを備えることを特徴とする請求項１に記載の振動モータ。
【請求項３】
前記折曲部は、前記弾性部材と前記カウンターウェイトブロックとの間に挟まれて設置され、
前記カウンターウェイトブロックは、前記折曲部を介して前記弾性部材に固定接続されることを特徴とする請求項２に記載の振動モータ。
【請求項４】
前記折曲部は、前記弾性部材の内リングに当接されることを特徴とする請求項３に記載の振動モータ。
【請求項５】
前記カウンターウェイトブロックには、前記折曲部を収納する切欠きが設けられることを特徴とする請求項２に記載の振動モータ。
【請求項６】
前記折曲部と前記カウンターウェイトブロックの天面は、同一の平面に配置され、且つ、前記折曲部と前記カウンターウェイトブロックは、同時に前記弾性部材の内リングに当接されることを特徴とする請求項５に記載の振動モータ。
【請求項７】
前記カウンターウェイトブロックは、本体部と、前記本体部から前記弾性部材に接近する方向へ延在し且つ前記折曲部を支持するための突起とを備えることを特徴とする請求項１に記載の振動モータ。
【請求項８】
前記ハウジングは、収容空間を有する外ケースと、前記外ケースに蓋接されるカバープレートとを備え、
前記弾性部材の外リングは、前記外ケースと前記カバープレートとの間に挟まれて設置されることを特徴とする請求項２に記載の振動モータ。
【請求項９】
前記カバープレートと前記弾性部材の外リングとの間には、中空環状の構造を有するフォームがさらに設けられ、
前記フォームは、前記カバープレートと前記弾性部材の外リングとの間に挟まれて設置されることを特徴とする請求項８に記載の振動モータ。
【請求項１０】
前記カウンターウェイトブロックは、中空環状の構造とされ、
前記カウンターウェイトブロックは、前記マグネットボウルの側壁に周設され、
前記折曲部も連続な環状構造とされることを特徴とする請求項１に記載の振動モータ。
【発明の詳細な説明】
【技術分野】
【０００１】
本発明は、音響デザイン技術分野に関し、具体的には振動モータに関する。
【背景技術】
【０００２】
従来技術において、振動モータは、ハウジングと、前記ハウジングに収納される振動子およびスプリングタブとを備え、前記振動子は、マグネットボウルと、前記マグネットボウルの外側に位置され且つ前記マグネットボウルに固定接続されるカウンターウェイトブロックとを備え、スプリングタブは、カウンターウェイトブロックの上面に載置され、カウンターウェイトブロックの内面とマグネットボウルの外面が並列に設置され、スプリングタブとカウンターウェイトブロックの領域には、スポット溶接が存在している。
【０００３】
ところが、上記構造を有する振動モータにおいて、スプリングタブはオーステナイト系ステンレス鋼であることが多く、熱伝導率が低いが、カウンターウェイトブロックは高い熱伝導率と高い融点を持つ材料であり、スポット溶接した後に、カウンターウェイトブロックはほとんど熔解しないので、溶接ドットの強度は低くなってしまう。
【０００４】
このため、新規の構造を有する振動モータを研究開発する必要がある。
【発明の概要】
【発明が解決しようとする課題】
【０００５】
本発明は、スプリングタブとカウンターウェイトブロックをスポット溶接することによる溶接ドットの強度が低いという問題を解決するためになされたものであり、新規の振動モータを提供する。
【課題を解決するための手段】
【０００６】
上記の目的を達成するために、本発明は一種の振動モータを提供し、ハウジングと、前記ハウジングに収納されるコイルと、振動子と、前記振動子を弾性的に支持する弾性部材とを備え、前記振動子は、マグネットボウルと、前記マグネットボウルの外側に位置され且つ前記マグネットボウルに固定接続されるカウンターウェイトブロックとを備え、前記マグネットボウルは、底壁と、前記底壁から前記弾性部材に接近する方向へ延在する側壁とを備える振動モータであって、前記マグネットボウルは、前記側壁から前記カウンターウェイトブロックの方向へ折り曲げて延在し且つ前記カウンターウェイトブロックに当接される折曲部をさらに備える。
【０００７】
好ましくは、前記弾性部材は、前記ハウジングに固定される外リングと、前記振動子に接続される内リングと、前記外リングと前記内リングを接続する接続アームとを備える。
【０００８】
好ましくは、前記折曲部は、前記弾性部材と前記カウンターウェイトブロックとの間に挟まれて設置され、前記カウンターウェイトブロックは、前記折曲部を介して前記弾性部材に固定接続される。
【０００９】
好ましくは、前記折曲部は前記弾性部材の内リングに当接される。
【００１０】
好ましくは、前記カウンターウェイトブロックには、前記折曲部を収納する切欠きが設けられる。
【００１１】
好ましくは、前記折曲部と前記カウンターウェイトブロックの天面は、同一の平面に配置され、且つ、前記折曲部と前記カウンターウェイトブロックは、同時に前記弾性部材の内リングに当接される。
【００１２】
好ましくは、前記カウンターウェイトブロックは、本体部と、前記本体部から前記弾性部材に接近する方向へ延在し且つ前記折曲部を支持するための突起とを備える。
【００１３】
好ましくは、前記ハウジングは、収容空間を有する外ケースと、前記外ケースに蓋接されるカバープレートとを備え、前記弾性部材の外リングは、前記外ケースと前記カバープレートとの間に挟まれて設置される。
【００１４】
好ましくは、前記カバープレートと前記弾性部材の外リングとの間には、中空環状の構造を有するフォームがさらに設けられ、前記フォームは前記カバープレートと前記弾性部材の外リングとの間に挟まれて設置される。
【００１５】
好ましくは、前記カウンターウェイトブロックは中空環状の構造とされ、前記カウンターウェイトブロックは前記マグネットボウルの側壁に周設され、前記折曲部も連続な環状構造とされる。
【発明の効果】
【００１６】
本発明の有益な効果は、下記の通りである。
本発明の振動モータにおいて、ハウジングと、前記ハウジングに収納されるコイルと、振動子と、前記振動子を弾性的に支持する弾性部材とを備え、前記振動子は、マグネットボウルと、前記マグネットボウルの外側に位置され且つ前記マグネットボウルに固定接続されるカウンターウェイトブロックとを備え、前記マグネットボウルは、底壁と、前記底壁から前記弾性部材に接近する方向へ延在する側壁とを備え、前記マグネットボウルは、前記側壁から前記カウンターウェイトブロックの方向へ折り曲げて延在し且つ前記カウンターウェイトブロックに当接される折曲部をさらに備える。このようにして、スポット溶接方式によって弾性部材と折曲部を一体に溶接することで、溶接ドットの表面品質を向上し、カウンターウェイトブロックとマグネットボウルとの間のグルー接着面積を効果的に増加し、カウンターウェイトブロックとマグネットボウル、及びマグネットボウルと弾性部材との間の結合強度を向上させることができるので、振動モータの耐用年数を延ばして振動モータに関するユーザー体験を向上することができる。
【図面の簡単な説明】
【００１７】
【図１】本発明の第１実施例における振動モータの分解図である。
【図２】本発明の第１実施例における振動モータの斜面図である。
【図３】図２に示す振動モータのＡ−Ａ方向に沿った断面図である。
【図４】本発明の第２実施例における振動モータの分解図である。
【図５】本発明の第２実施例における振動モータの斜面図である。
【図６】図５に示す振動モータのＢ−Ｂ方向に沿った断面図である。
【発明を実施するための形態】
【００１８】
以下、図１−６を参照しながら本発明を詳細に説明する。
【００１９】
（第１実施例）
図１−３に示すように、本発明に係る振動モータ１００は、ハウジング１１０と、ハウジング１１０に収納されるコイル１２０と、振動子１３０と、振動子１３０を弾性的に支持する弾性部材１４０とを備え、振動子１３０は、マグネットボウル１３１と、マグネットボウル１３１の外側に位置され且つマグネットボウル１３１に固定接続されるカウンターウェイトブロック１３２とを備え、マグネットボウル１３１は、底壁１３１aと、底壁１３１aから弾性部材１４０に接近する方向へ延在する側壁１３１ｂとを備え、マグネットボウル１３１は、側壁１３１ｂからカウンターウェイトブロック１３２の方向へ折り曲げて延在し且つカウンターウェイトブロック１３２に当接される折曲部１３１ｃをさらに備える。
【００２０】
具体的には、上記構造を有する振動モータ１００を組み付けるときに、まず、カウンターウェイトブロック１３２をハウジング１１０内に取り付けてから、マグネットボウル１３１をカウンターウェイトブロック１３２に組み立て、且つ折曲部１３１ｃがカウンターウェイトブロック１３２に当接されることができることを確保すると共に、弾性部材１４０をハウジング１１０内に取り付け、且つ弾性部材１４０が折曲部１３１ｃと接触することを確保し、その後、スポット溶接方式によって弾性部材１４０と折曲部１３１ｃを一体に溶接することができる。これによって、溶接ドットの表面品質を向上し、カウンターウェイトブロック１３２とマグネットボウル１３１との間のグルー接着面積を効果的に増加し、カウンターウェイトブロック１３２とマグネットボウル１３１、及びマグネットボウル１３１と弾性部材１４０との間の結合強度を向上させることができるので、振動モータ１００の耐用年数を延ばして振動モータ１００に関するユーザー体験を向上することができる。
【００２１】
具体的には、図１および図３に示すように、振動子１３０を効果的に弾性的に支持するために、弾性部材１４０は、ハウジング１１０に固定される外リング１４１と、振動子１３０に接続される内リング１４２と、外リング１４１と内リング１４２を接続する接続アーム１４３とを備える。
【００２２】
図１および図３に示すように、カウンターウェイトブロック１３２とマグネットボウル１３１、及びマグネットボウル１３１と弾性部材１４０との間の結合強度をより一層向上するために、折曲部１３１ｃは、弾性部材１４０とカウンターウェイトブロック１３２との間に挟まれて設置され、カウンターウェイトブロック１３２は、折曲部１３１ｃを介して弾性部材１４０に固定接続される。
【００２３】
また、折曲部１３１ｃにおける、弾性部材１４０とカウンターウェイトブロック１３２との間に挟まれて設置される長さは、具体的に限定されていなく、即ち、折曲部１３１ｃの折り曲げ長さは限定されていなく、当業者は実際の必要に応じて、折曲部１３１ｃの必要な折り曲げ長さを確定することができる。しかしながら、折曲部１３１ｃの折り曲げ長さの設定は、弾性部材１４０と折曲部１３１ｃとの間に良好な接触面積を有することを確保すべきであると共に、折曲部１３１ｃとカウンターウェイトブロック１３２との間にも良好な接触面積を有するべきあり、そうすれば、三者の結合強度を効果的に向上でき、振動モータ１００の耐用年数を向上させることは、当業者であれば理解できるはずである。
【００２４】
具体的には、図１及び図３に示すように、折曲部１３１ｃは、弾性部材１４０の内リング１４２に当接されることができる。
【００２５】
図１及び図３に示すように、カウンターウェイトブロック１３２は、本体部１３２aと、本体部１３２aから弾性部材１４０に接近する方向へ延在し且つ折曲部１３１ｃを支持するための突起１３２ｂとを備える。このようにすれば、折曲部１３１ｃを効果的に支持できるだけでなく、カウンターウェイトブロック１３２の重量を効果的に低減することもできるので、振動モータ１００のサイズを小さくすることができる。
【００２６】
図１及び図３に示すように、ハウジング１１０は、収容空間１０１を有する外ケース１１１と、外ケース１１１に蓋接されるカバープレート１１２とを備え、弾性部材１４０の外リング１４１は、外ケース１１１とカバープレート１１２との間に挟まれて設置される。
【００２７】
図１及び図３に示すように、カバープレート１１２と弾性部材１４０との間のリジッドな衝突を回避するために、カバープレート１１２と弾性部材１４０の外リング１４１との間には、中空環状の構造を有するフォーム１５０がさらに設けられ、フォーム１５０は、カバープレート１１２と弾性部材１４０の外リング１４１との間に挟まれて設置される。
【００２８】
図１及び図２に示すように、カウンターウェイトブロック１３２の重量をより一層低減して振動モータ１００の構造をより一層コンパクト化するために、カウンターウェイトブロック１３２は中空環状の構造とされ、カウンターウェイトブロック１３２はマグネットボウル１３１の側壁１３１ｂに周設され、折曲部１３１ｃも連続な環状構造とされる。
【００２９】
（第２実施例）
第１実施例における振動モータ１００と異なるのは、第２実施例において、図４−６に示すように、カウンターウェイトブロック１３２には、折曲部１３１ｃを収納する切欠き１３２ｃが設けられる。
【００３０】
具体的には、折曲部１３１ｃとカウンターウェイトブロック１３２の天面は、同一の平面に配置されることができ、且つ、折曲部１３１ｃとカウンターウェイトブロック１３２は、同時に弾性部材１４０の内リング１４２に当接される。
【００３１】
具体的には、上記構造を有する振動モータ１００を組み付けるときに、まず、カウンターウェイトブロック１３２をハウジング１１０内に取り付けてから、マグネットボウル１３１をカウンターウェイトブロック１３２に組み立て、且つ折曲部１３１ｃがカウンターウェイトブロック１３２における切欠き１３２ｃに当接されることができることを確保すると共に、弾性部材１４０をハウジング１１０内に取り付け、且つ弾性部材１４０が折曲部１３１ｃと接触することを確保し、その後、スポット溶接方式によって弾性部材１４０と折曲部１３１ｃを一体に溶接することができる。これによって、溶接ドットの表面品質を向上し、カウンターウェイトブロック１３２とマグネットボウル１３１との間のグルー接着面積を効果的に増加し、カウンターウェイトブロック１３２とマグネットボウル１３１、及びマグネットボウル１３１と弾性部材１４０との間の結合強度を向上させることができるので、振動モータ１００の耐用年数を延ばして振動モータ１００に関するユーザー体験を向上することができる。
【００３２】
上記の区別の以外に、第２実施例における振動モータ１００のその他の構造について、第１実施例における関係記載を参照でき、ここで重複に説明しない。
【００３３】
以上に説明されたのは、本発明の実施形態に過ぎなく、当業者にとっては、本発明の構想から逸脱しない限り、さらに改良することができ、これらの改良も本発明の保護範囲に含まれると理解できるはずである。
【図１】
2020022352.tif 000003
【図２】
2020022352.tif 000004
【図３】
2020022352.tif 000005
【図４】
2020022352.tif 000006
【図５】
2020022352.tif 000007
【図６】
2020022352.tif 000008
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
ハウジングと、前記ハウジングに収納されるコイルと、振動子と、前記振動子を弾性的に支持する弾性部材とを備え、前記振動子は、マグネットボウルと、前記マグネットボウルの外側に位置され且つ前記マグネットボウルに固定接続されるカウンターウェイトブロックとを備え、前記マグネットボウルは、底壁と、前記底壁から前記弾性部材に接近する方向へ延在する側壁とを備える振動モータであって、
前記マグネットボウルは、前記側壁から前記カウンターウェイトブロックの方向へ折り曲げて延在し且つ前記カウンターウェイトブロックに当接される折曲部をさらに備え、
前記カウンターウェイトブロックは、本体部と、前記本体部から前記弾性部材に接近する方向へ延在し且つ前記折曲部を支持するための突起とを備えることを特徴とする振動モータ。
【請求項２】
前記弾性部材は、前記ハウジングに固定される外リングと、前記振動子に接続される内リングと、前記外リングと前記内リングを接続する接続アームとを備えることを特徴とする請求項１に記載の振動モータ。
【請求項３】
前記折曲部は、前記弾性部材と前記カウンターウェイトブロックとの間に挟まれて設置され、
前記カウンターウェイトブロックは、前記折曲部を介して前記弾性部材に固定接続されることを特徴とする請求項２に記載の振動モータ。
【請求項４】
前記折曲部は、前記弾性部材の内リングに当接されることを特徴とする請求項３に記載の振動モータ。
【請求項５】
前記カウンターウェイトブロックには、前記折曲部を収納する切欠きが設けられることを特徴とする請求項２に記載の振動モータ。
【請求項６】
前記折曲部と前記カウンターウェイトブロックの天面は、同一の平面に配置され、且つ、前記折曲部と前記カウンターウェイトブロックは、同時に前記弾性部材の内リングに当接されることを特徴とする請求項５に記載の振動モータ。
【請求項７】
前記ハウジングは、収容空間を有する外ケースと、前記外ケースに蓋接されるカバープレートとを備え、
前記弾性部材の外リングは、前記外ケースと前記カバープレートとの間に挟まれて設置されることを特徴とする請求項２に記載の振動モータ。
【請求項８】
前記カバープレートと前記弾性部材の外リングとの間には、中空環状の構造を有するフォームがさらに設けられ、
前記フォームは、前記カバープレートと前記弾性部材の外リングとの間に挟まれて設置されることを特徴とする請求項７に記載の振動モータ。
【請求項９】
前記カウンターウェイトブロックは、中空環状の構造とされ、
前記カウンターウェイトブロックは、前記マグネットボウルの側壁に周設され、
前記折曲部も連続な環状構造とされることを特徴とする請求項１に記載の振動モータ。
【手続補正２】
【補正対象書類名】図面
【補正対象項目名】図１
【補正方法】変更
【補正の内容】
【図１】
2020022352.tif 000009
【手続補正３】
【補正対象書類名】図面
【補正対象項目名】図４
【補正方法】変更
【補正の内容】
【図４】
2020022352.tif 000010